(57)【要約】【課題】遮蔽材の上端とヘッドボックスとの間に隙間がある状態で、第１昇降コードを上昇させて遮蔽材の下端を上昇させていったときに、遮蔽材の上端を昇降させるための別の第２昇降コードによって、第２昇降コードの動きを規制するストッパが解除されることがないようにする。【解決手段】ヘッドボックス１０と中間バー１４との間に隙間がある状態で、昇降コード２２の上昇により上昇した遮蔽材１２が中間バー１４を押し上げた際に、調光コード１８からストッパ２０へと力が伝達してストッパ２０が解除されることを防止するコード戻り防止手段４０をヘッドボックス１０に設ける。【選択図】図１
2010242302.tif 000002
【特許請求の範囲】
【請求項１】
ヘッドボックス（１０）の下方に配設される遮蔽材（１２）と、ヘッドボックス（１０）から垂下した一端が遮蔽材（１２）の下端（１６）に連結されて、遮蔽材（１２）の下端を昇降可能な第１昇降コード（２２）と、ヘッドボックス（１０）から垂下した一端が遮蔽材（１２）の上端（１４）に連結され、遮蔽材（１２）の上端を昇降可能な第２昇降コード（１８）と、第２昇降コード（１８）の動きを規制及び規制解除可能にするストッパ（２０）と、ストッパを操作する操作部（１８ａ）とを備え、
ストッパ（２０）は、第２昇降コード（１８）が挿通するストッパケース（２６）と、第２昇降コード（１８）を係止してその動きを規制するロック部（３２）と、を備えて、ロック部が反操作部側へ動くことによって、第２昇降コードを係止可能となったブラインドにおいて、
ヘッドボックス（１０）には、ストッパ（２０）が第２昇降コード（１８）の動きを規制した状態で、第１昇降コード（２２）により遮蔽材（１２）の上端が上方に押し上げられた際に、第２昇降コードが前記ロック部を操作部側へと動かすことを防ぐコード戻り防止手段（４０、５０、６０）が設けられることを特徴とするブラインド。
【請求項２】
ヘッドボックス（１０）の下方に配設される遮蔽材（１２）と、ヘッドボックス（１０）から垂下した一端が遮蔽材（１２）の下端（１６）に連結されて、遮蔽材（１２）の下端を昇降可能な第１昇降コード（２２）と、ヘッドボックス（１０）から垂下した一端が遮蔽材（１２）の上端に連結され、遮蔽材（１２）の上端（１４）を昇降可能な第２昇降コード（１８）と、第２昇降コード（１８）の動きを規制及び規制解除可能にするストッパ（２０）と、ストッパを操作する操作部（１８ａ）とを備え、
ストッパ（２０）は、第２昇降コード（１８）が挿通するストッパケース（２６）と、第２昇降コード（１８）を係止してその動きを規制するロック部（３２）と、を備えて、ロック部が反操作部側へ動くことによって、第２昇降コードを係止可能となったブラインドにおいて、
ヘッドボックス（１０）には、ストッパ（２０）が第２昇降コード（１８）の動きを規制した状態で、第１昇降コード（２２）により遮蔽材（１２）の上端が上方に押し上げられた際に、第２昇降コードからストッパへの力の伝達を妨げるコード戻り防止手段（４０、５０、６０）が設けられることを特徴とするブラインド。
【請求項３】
前記コード戻り防止手段（４０）は、ストッパ（２０）と遮蔽材の上端（１４）との間で、第２昇降コード（１８）が配回される経路上に設けられ、前記第２昇降コード（１８）を押圧し、遮蔽材の上端（１４）とストッパ（２０）との間に発生する第２昇降コード（１８）の弛み部分を屈曲状に導くバネ（４６）であることを特徴とする請求項１または２記載のブラインド。
【請求項４】
前記コード戻り防止手段（５０）は、ストッパ（２０）と遮蔽材の上端（１４）との間で、第２昇降コード（１８）が配回される経路上に設けられ、第２昇降コード（１８）に所定量の負荷を与え、遮蔽材の上端（１４）によって押し上げられる第２昇降コード（１８）の移動を規制する摩擦体（５０）であることを特徴とする請求項１または２記載のブラインド。
【請求項５】
前記コード戻り防止手段（６０）は、ヘッドボックス（１０）内に導入される第２昇降コード（１８）をストッパ（２０）へと導くガイドローラ（１９）と、第２昇降コード（１８）がストッパ（２０）から離れる方向にガイドローラ（１９）を押圧するバネ（６２）とを備えることを特徴とする請求項１または２記載のブラインド。
【請求項６】
前記コード戻り防止手段（６０）は、ガイドローラ(１９)とヘッドボックス(１０)の長手方向に沿って互いに所定間隔をあけて配設される第２ガイドローラ(２３)をさらに備え、バネ(６２)によって押圧されるガイドローラ(１９)と第２ガイドローラ(２３)により第２昇降コードを挟み付け可能なことを特徴とする請求項５記載のブラインド。
【請求項７】
前記コード戻り防止手段（６０）は、ガイドローラ(１９)の上方に配設される弾性部材（６４）をさらに備え、バネ(６２)によって押圧されるガイドローラ(１９)と弾性部材（６４）により第２昇降コードを挟み付け可能なことを特徴とする請求項５記載のブラインド。
【発明の詳細な説明】
【技術分野】
【０００１】
本発明は、遮蔽材の上下両端を別々に昇降させることができるブラインドに関する。
【背景技術】
【０００２】
従来、この種のブラインドとしては、特許文献１に記載されるものがある。この特許文献１に記載されたブラインドは、上下方向に折り畳み可能となった下部スクリーンと上部スクリーンとを上下方向に連結した構成を有するスクリーンをヘッドボックスから吊り下げ、ヘッドボックスから昇降可能に垂下された昇降コードの一端側を下部スクリーンの下端に接続し、ヘッドボックスから昇降可能に垂下された開閉用コードの一端側を下部スクリーンと上部スクリーンの連結部に接続している。
【０００３】
これによれば、開閉用コードを昇降することによって下部スクリーンの上端を昇降させることができ、昇降コードを昇降することによって下部スクリーンの下端を昇降させることができる。また、上部スクリーンの上端をヘッドボックスに対して非連結とすることで、上部スクリーンの上端とヘッドボックスとの間をスクリーンのない完全開放にすることができる。
【先行技術文献】
【特許文献】
【０００４】
【特許文献１】特開２０００−２４８８５５号公報
【発明の概要】
【発明が解決しようとする課題】
【０００５】
上記従来のブラインドでは、図２０に示すように、上部スクリーン７２の上端７３をヘッドボックス７０に非連結として、ヘッドボックス７０から下降させた状態にすると、上部スクリーン７２は畳み込まれた状態で下部スクリーン７４との連結部７５上に載置され、この状態で昇降コード７８を上昇させ下部スクリーン７４の下端７６を上昇させていくと、下部スクリーンが完全に畳み込まれた後、下部スクリーンが上部スクリーンとの連結部を押し上げるため、開閉用コード８０が弛んだ状態となる。
【０００６】
上部スクリーン７２の上端７３とヘッドボックス７０との間の空間には、何ら抵抗が作用しないため、図２１に示すように、弛んだ開閉用コード８０はコードの剛性によってヘッドボックス７０内に押し込まれるような状態となり、ストッパ８２に対してストッパ８２を解除する方向の力を与えてしまうことがあり、勝手にストッパ８２が解除されてしまうという問題がある。このような現象は、上部スクリーン７２の上端７３とヘッドボックス７０との間の空間が、開閉用コード８０が自重で垂れない程度の隙間であるときに生じやすい。
【０００７】
このようにストッパ８２が勝手に解除されていると、次に下部スクリーン７２を下降させるために昇降コード７８を下降させたときに、上部スクリーン７２との連結部７５がその自重で下がってしまい、下部スクリーン７４は畳み込まれた状態のまま下降することになり、ユーザの意図とは異なる昇降動作をしてしまうという問題がある。
【０００８】
本発明はかかる課題に鑑みなされたもので、遮蔽材の上端とヘッドボックスとの間に隙間がある状態で、第１昇降コードを上昇させて遮蔽材の下端を上昇させていったときに、遮蔽材の上端を昇降させるための別の第２昇降コードによって、第２昇降コードの動きを規制するストッパが解除されることがないようにすることができるブラインドを提供することをその目的とする。
【課題を解決するための手段】
【０００９】
前述した目的を達成するために、請求項１記載の発明は、ヘッドボックスの下方に配設される遮蔽材と、ヘッドボックスから垂下した一端が遮蔽材の下端に連結されて、遮蔽材の下端を昇降可能な第１昇降コードと、ヘッドボックスから垂下した一端が遮蔽材の上端に連結され、遮蔽材の上端を昇降可能な第２昇降コードと、第２昇降コードの動きを規制及び規制解除可能にするストッパと、ストッパを操作する操作部とを備え、
ストッパは、第２昇降コードが挿通するストッパケースと、第２昇降コードを係止して動きを規制するロック部と、を備えて、ロック部が反操作部側へ動くことによって、第２昇降コードを係止可能となったブラインドにおいて、
ヘッドボックスには、ストッパが第２昇降コードの動きを規制した状態で、第１昇降コードにより遮蔽材の上端が上方に押し上げられた際に、第２昇降コードが前記ロック部を操作部側へ動かすことを防ぐコード戻り防止手段が設けられることを特徴とする。
【００１０】
請求項２記載の発明は、ヘッドボックスの下方に配設される遮蔽材と、ヘッドボックスから垂下した一端が遮蔽材の下端に連結されて、遮蔽材の下端を昇降可能な第１昇降コードと、ヘッドボックスから垂下した一端が遮蔽材の上端に連結され、遮蔽材の上端を昇降可能な第２昇降コードと、第２昇降コードの動きを規制及び規制解除可能にするストッパと、ストッパを操作する操作部とを備え、
ストッパは、第２昇降コードが挿通するストッパケースと、第２昇降コードを係止して動きを規制するロック部と、を備えて、ロック部が反操作部側へ動くことによって、第２昇降コードを係止可能となったブラインドにおいて、
ヘッドボックスには、ストッパが第２昇降コードの動きを規制した状態で、第１昇降コードにより遮蔽材の上端が上方に押し上げられた際に、第２昇降コードからストッパへの力の伝達を妨げるコード戻り防止手段が設けられることを特徴とする。
【００１１】
請求項３記載の発明は、請求項１または２記載の前記コード戻り防止手段が、ストッパと遮蔽材の上端との間で、第２昇降コードが配回される経路上に設けられ、前記第２昇降コードを押圧し、遮蔽材の上端とストッパとの間に発生する第２昇降コードの弛み部分を屈曲状に導くバネであることを特徴とする。
【００１２】
請求項４記載の発明は、請求項１または２記載の前記コード戻り防止手段が、ストッパと遮蔽材の上端との間で、第２昇降コードが配回される経路上に設けられ、第２昇降コードに所定量の負荷を与え、遮蔽材の上端によって押し上げられる第２昇降コードの移動を規制する摩擦体であることを特徴とする。
【００１３】
請求項５記載の発明は、請求項１または２記載の前記コード戻り防止手段が、ヘッドボックス内に導入される第２昇降コードをストッパへと導くガイドローラと、第２昇降コードがストッパから離れる方向にガイドローラを押圧するバネとを備えることを特徴とする。
【００１４】
請求項６記載の発明は、請求項５記載の前記コード戻り防止手段が、ガイドローラとヘッドボックスの長手方向に沿って互いに所定間隔をあけて配設される第２ガイドローラをさらに備え、バネによって押圧されるガイドローラと第２ガイドローラにより第２昇降コードを挟み付け可能なことを特徴とする。
【００１５】
請求項７記載の発明は、請求項５記載の前記コード戻り防止手段が、ガイドローラの上方に配設される弾性部材をさらに備え、バネによって押圧されるガイドローラと弾性部材により第２昇降コードを挟み付け可能なことを特徴とする。
【発明の効果】
【００１６】
本発明によれば、ヘッドボックスと遮蔽材の上端との間に隙間が生じている状態で、第１昇降コードを上昇させて遮蔽材の下端を上昇させ、遮蔽材の上端が押し上げられて、結果として第２昇降コードが押し上げられる状態になっても、コード戻り防止手段の作用によって、第２昇降コードがストッパに対しストッパを解除する方向に力を与えることが妨げられる。これにより、不用意にストッパが解除されることが防止され、ユーザが想定していない昇降動作となることを防止することができる。
【００１７】
また、コード戻り防止手段を、ストッパと遮蔽材の上端との間で第２昇降コードが配回される経路上に設けることにより、ヘッドボックス内の空間におけるストッパの手前までの間で、ストッパに作用する昇降コードによる力の伝達を遮断することができるため、ストッパが解除されてしまうことを確実に防止することができる。
【図面の簡単な説明】
【００１８】
【図１】本発明の第１実施形態において、遮蔽材の上端が上下方向途中位置で停止している状態を示す全体正面図である。
【図２】遮蔽材の上端が上限位置まで上昇している状態を示す全体正面図である。
【図３】遮蔽材の下端が上下方向途中位置で停止している状態を示す全体正面図である。
【図４】遮蔽材の上端が上下方向途中位置で停止しているときのヘッドボックス内の状態を示す側断面図である。
【図５】遮蔽材の下端を上昇させているときの状態を示すヘッドボックスの側断面図である。
【図６】遮蔽材の上端が押し上げられているときの状態を示すヘッドボックスの側断面図である。
【図７】解除された状態のストッパの平面図である。
【図８】係止している状態のストッパの平面図である。
【図９】（ａ）は係止している状態を示すストッパの平面図であり、（ｂ）は（ａ）の状態から操作部を操作したときの状態を示すストッパの平面図であり、（ｃ）は（ｂ）の状態から操作部の操作を解除した状態を示すストッパの平面図であり、（ｄ）は（ｃ）の状態から再び操作部を操作したときの状態を示すストッパの平面図である。
【図１０】第１実施形態のコード戻り防止手段の非作動時の状態を示す平面図である。
【図１１】第１実施形態のコード戻り防止手段の作動時の状態を示す平面図である。
【図１２】第１実施形態において遮蔽材の上端が上下方向途中位置で停止しているときの調光コードとコード戻り防止手段の状態を模式的に示す正面図である。
【図１３】第１実施形態において遮蔽材の上端が押し上げられたときの調光コードとコード戻り防止手段の状態を模式的に示す正面図である。
【図１４】第２実施形態において遮蔽材の上端が上下方向途中位置で停止しているときの調光コードとコード戻り防止手段の状態を模式的に示す正面図である。
【図１５】第２実施形態において遮蔽材の上端が押し上げられたときの調光コードとコード戻り防止手段の状態を模式的に示す正面図である。
【図１６】第３実施形態において遮蔽材の上端が上下方向途中位置で停止しているときの調光コードとコード戻り防止手段の状態を模式的に示す正面図である。
【図１７】第３実施形態において遮蔽材の上端が押し上げられたときの調光コードとコード戻り防止手段の状態を模式的に示す正面図である。
【図１８】第４実施形態において遮蔽材の上端が上下方向途中位置で停止しているときの調光コードとコード戻り防止手段の状態を模式的に示す正面図である。
【図１９】第４実施形態において遮蔽材の上端が遮蔽材に押し上げられたときの調光コードとコード戻り防止手段の状態を模式的に示す正面図である。
【図２０】従来技術において連結部が上下方向途中位置で停止しているときの状態を示す正面図である。
【図２１】従来技術において連結部が下部スクリーンに押し上げられたときの開閉用コード及びストッパの状態を模式的に示す正面図である。
【発明を実施するための形態】
【００１９】
以下、図面を用いて本発明の実施の形態を説明する。
（第１実施形態）
図１ないし図３に示すように、本発明のブラインドは、窓枠や壁等の固定取付部に取り付けられるヘッドボックス１０を備えており、ヘッドボックス１０の下方には遮蔽材１２が配設される。
【００２０】
遮蔽材１２の上端には中間バー１４が、また遮蔽材１２の下端にはボトムレール１６がそれぞれ設けられる。遮蔽材１２としては、任意のもの（例えばスラット列等）とすることができるが、この例では、多数の襞が上下方向に形成されて上下方向に畳み込み可能となったプリーツスクリーンとなっている。
【００２１】
中間バー１４にはその長手方向に適宜離間されて複数の調光コード１８の一端が連結されており、各調光コード１８の他端は、ヘッドボックス１０内に導入され、ガイドローラ１９に案内されて方向転換されてストッパ２０に導かれる。ストッパ２０を挿通した調光コード１８の他端は、ヘッドボックス１０の一端から垂下して操作部１８ａとなっている。
【００２２】
ストッパ２０は、調光コード１８の動きを規制及び規制解除可能となっており、ストッパ２０を挿通する調光コード１８の操作部１８ａの操作によって規制及び規制解除を切換可能となっている。ストッパ２０が調光コード１８の動きの規制解除をした状態で、調光コード１８が昇降することで、遮蔽材１２の上端が昇降し、また、ストッパ２０が調光コード１８の動きを規制することで、調光コード１８に作用する中間バー１４等の自重による調光コード１８の動きを規制し、遮蔽材１２の上端を任意の高さにおいて停止することができる（例えば図１と図２の状態を参照)。
【００２３】
同様に、ボトムレール１６にはその長手方向に適宜離間されて複数の昇降コード２２の一端が連結されており、昇降コード２２の他端は、遮蔽材１２及び中間バー１４を挿通して正面視において調光コード１８と一部重なり、ヘッドボックス１０内に導入され、第２ガイドローラ２３に案内されて方向転換しストッパ２４に導かれる。ストッパ２４を挿通した昇降コード２２の他端は、ヘッドボックス１０の他端から垂下して操作部２２ａとなっている。
【００２４】
ストッパ２４は、昇降コード２２の動きを規制及び規制解除可能となっており、ストッパ２４を挿通する昇降コード２２の操作部２２ａの操作によって規制及び規制解除を切換可能となっている。ストッパ２４が昇降コード２２の動きの規制解除をした状態で、昇降コード２２が昇降することで、遮蔽材１２の下端が昇降し、また、ストッパ２４が昇降コード２２の動きを規制することで、昇降コード２２に作用するボトムレール１６等の自重による昇降コード２２の動きを規制し、遮蔽材１２の下端を任意の高さにおいて停止することができる（例えば図２と図３の状態を参照)。
【００２５】
ストッパ２０、２４は、ストッパとして公知の任意の機構とすることができ、大略、昇降コードが挿通するストッパケースと、ストッパケースを挿通する昇降コードに対して係止してその動きを規制するロック部とを有するものとすることができる。そして、そのようなストッパ装置は、操作部を操作することでロック部が昇降コードを係止して昇降コードの動きを規制する際に、ロック部が操作部から受けた操作力と反対方向に反操作部側に動くようになっており、反対に、規制後ロック部が操作部から受ける操作力と同じ方向に操作部側に動くことで、昇降コードの係止を解除するようになっている。
【００２６】
図４ないし図８はその一例としての具体的構成を示しており、ストッパ２０は、ヘッドボックス１０に固定されて、調光コード１８が挿通するストッパケース２６と、ストッパケース２６内を調光コード１８と共に移動するべくスライド可能となったスライダー２８と、ストッパケース２６に設けられた受けローラ３０と、スライダー２８と共にストッパケース２６内を移動し、前記受けローラ３０との間で調光コード１８を挟持し、調光コード１８を係止して動きを規制するロック部としての挟持ローラ３２と、スライダー２８の移動を規制する規制機構３４と、を備えている。
【００２７】
規制機構３４は、スライダー２８の底面下側に形成される案内カム溝３６と、ストッパケース２６の底面上側に形成され前後方向に延びる溝２６ａ内にスライド可能に嵌め込まれるとともに、前記案内カム溝３６に嵌入するピン部３８ａを持つ係合子３８と、から構成される。案内カム溝３６には、中央にハート状のカム突起が形成されて、その周囲をピン部３８ａが相対的に移動するようになっており、図９（ａ）ないし（ｄ）に示すように、ブラインド停止時にピン部３８ａが位置付けられる停止位置３６ａと、ピン部３８ａが、順次係止する複数の係止部３６ｂ、３６ｃ、３６ｄが形成されている。ピン部３８ａが各係止部に係止すると、それ以上の同じ方向への相対移動は規制されるようになっている。
【００２８】
このようなストッパ２０の作用を説明すると、ストッパ２０が調光コード１８の動きを規制しているときは、中間バー１４等の自重により、調光コード１８に中間バー１４を下降させる方向への張力が加わっている。このとき図８及び図９（ａ）に示すように、挟持ローラ３２で調光コード１８を係止するために、受けローラ３０と挟持ローラ３２との間で調光コード１８を挟持するべく、スライダー２８が図中最も左側に移動しており、ピン部３８ａが停止位置３６ａに位置している（第１の状態）。
【００２９】
第１の状態から、操作部１８ａを下方へ引っ張ると、調光コード１８が図７中右方向（即ち、操作部側の、中間バー１４を上昇させる方向）へ移動し、調光コード１８と共にスライダー２８が移動する。これに伴って、相対的に係合子３８のピン部３８ａが図９（ａ）に示す停止位置３６ａを出発して、案内カム溝３６内を移動する。ピン部３８ａは、図９（ｂ）の係止部３６ｂへと到達すると、それ以上のスライダー２８のストッパケース２６に対する移動が規制される。この状態では、図７に示すように、挟持ローラ３２が受けローラ３０から離反するため、もはやこれらの間で調光コード１８が挟持されておらず、調光コード１８は解放される（第２の状態）。
【００３０】
次に、操作部１８ａへの操作を緩めて操作力を解除すると、中間バー１４等の自重により、調光コード１８は図７中左方向（即ち、反操作部側の方向）へと移動する。このとき、調光コード１８と共にスライダー２８が移動するため、これに伴って、相対的に係合子３８のピン部３８ａが係止部３６ｂから図９（ｃ）に示す係止部３６ｃへと到達すると、それ以上のスライダー２８のストッパケース２６に対する移動が規制される。このため、挟持ローラ３２が受けローラ３０から離反した状態が維持され、調光コード１８は解放された状態を維持する（第３の状態）。
【００３１】
次に、操作部１８ａを下方に引っ張ると、調光コード１８は図７中右方向（即ち、操作部側の、中間バー１４を上昇させる方向）へと移動し、これとともにスライダー２８が移動する。これに伴って、相対的に係合子３８のピン部３８ａが係止部３６ｃから図９（ｄ）に示す係合部３６ｄへと到達すると、それ以上のスライダー２８のストッパケース２６に対する移動が規制される。この状態のときも、挟持ローラ３２が受けローラ３０から離反しているため、調光コード１８は解放された状態を維持する（第４の状態）。
【００３２】
次に、操作部１８ａへの操作を緩めて操作力を解除すると、中間バー１４等の自重により、調光コード１８は図７中左方向（即ち、反操作部側の方向）へと移動する。このとき、調光コード１８と共にスライダー２８が移動するため、これに伴って、相対的に係合子３８のピン部３８ａが係止部３６ｄから停止位置３６ａへと到達する。これによって、挟持ローラ３２が調光コード１８と共に受けローラ３０に接近して、再び調光コード１８を係止する。
【００３３】
このように、ストッパ２０は、調光部１８ａの操作に応じて、第１の状態から第４の状態を順次繰り返す。
【００３４】
図４ないし図６に示すように、ヘッドボックス１０内には、ガイドローラ１９の下方に位置するヘッドボックス１０の下面近傍にコード戻り防止手段４０が配設されている。即ち、図１０及び図１１に拡大して示すように、コード戻り防止手段４０は、ヘッドボックス１０の下面に固定されるケース４４と、ケース４４内をスライド可能であるスライド部材４２と、一端がスライド部材４２に連結され、他端がケース４４端部に連結されるバネ４６と、を備える。スライド部材４２には、調光コード１８が挿通する挿通孔４２ａと、昇降コード２２が挿通する切り欠き４２ｂが形成されており、バネ４６は、スライド部材４２のスライド方向に伸縮可能に配設されている。
【００３５】
図１０に示すように、調光コード１８に張力が加わっているときは、調光コード１８がガイドローラ１９と中間バー１４との間で直線状に引っ張られるため、挿通孔４２ａを介してスライド部材４２はガイドローラ１９のほぼ真下に位置している。このとき、バネ４６は伸長して、蓄勢された状態にある。
【００３６】
また、図１１に示すように、調光コード１８に張力が加わっていないときは、スライド部材４２をガイドローラ１９寄りに位置させる力が加わらないため、バネ４６は復元力により、スライド部材４２をガイドローラ１９から離れる方向に移動させる。
【００３７】
次に、本実施の形態の作用について説明する。
図１に示すように、中間バー１４が上下方向途中位置で停止している状態のときは、図４及び図１２に示すように、調光コード１８は受けローラ３０と挟持ローラ３２との間で挟持されてその動きが規制されている。このとき、調光コード１８は中間バー１４等の自重により中間バー１４を下降させる方向への張力が加えられているため、コード戻り防止手段４０では、バネ４６が伸長し、スライド部材４２はガイドローラ１９のほぼ真下に位置している。
【００３８】
この状態から、操作部２２ａを操作して昇降コード２２を上昇させて、ボトムレール１６を上昇させると、遮蔽材１２の下端が上昇し、遮蔽材１２が折り畳まれる。完全に折り畳まれた遮蔽材１２は、その後、図６に示すように中間バー１４を押し上げる。中間バー１４が押し上げられることにより、中間バー１４とヘッドボックス１０との間隔が狭くなるが、ストッパ２０の受けローラ３０と挟持ローラ３２との間で挟持されている部分から中間バー１４までの間の調光コード１８の長さは、中間バー１４が押し上げられる以前と以後とで変わらないため、この間で調光コード１８が弛む。これにより、スライド部材４２に調光コード１８からの力が加わらなくなるため、図６及び図１３に示すように、コード戻り防止手段４０では、バネ４６の付勢力によりスライド部材４２をガイドローラ１９の真下から離れる方向に移動する。すると、調光コード１８が屈曲して、調光コード１８の弛みをコード戻り防止手段４０が吸収するため、調光コード１８はストッパ２０に向かって押されることはなく、よって、挟持ローラ３２を解放方向に移動させることを防止できる。尚、このコード戻り防止手段４０は、調光コード１８に発生する弛みを全て吸収することは意図しておらず、その吸収可能な弛みは僅かであるが、コード戻り防止手段４０が調光コード１８に作用することで、調光コード１８の弛みがストッパ２０の方へと伝達することを妨げ、また、調光コード１８からストッパ２０に対してストッパ２０を解除する力が伝達することを妨げることができ、ストッパ２０の不用意な解除を防ぐことができる。
【００３９】
また、スライド部材４２は、張力の作用している昇降コード２２には何らの作用もしないために、昇降コード２２の昇降を妨げることはない。
【００４０】
こうして、ストッパ２０の不用意な解除を防ぐことができるため、次に、操作部２２ａを操作して、昇降コード２２を下降させてボトムレール１６を下降させると、中間バー１４は停止したまま、即ち遮蔽材１２の上端の位置は変わらずに、遮蔽材１２の下端が下降して、遮蔽材１２が露出するので、ユーザの意図に合致した昇降動作となる。
【００４１】
（第２実施形態）
図１４及び１５を用いて、本発明の第２実施形態を説明する。なお、下記以外の構成は第１実施形態と同様であるため、詳細説明を省略する。
【００４２】
この第２実施形態においては、コード戻り防止手段が調光コード１８に摩擦力を与える摩擦体としての板バネ５０であり、板バネ５０は、ストッパ２０と中間バー１４との間で調光コード１８が配回される経路上の任意の位置に設けることができ、例えば、ストッパ２０の出口近傍に設けられている。板バネ５０は、調光コード１８を挟み付けることにより、調光コード１８に所定量の負荷を与え、中間バー１４によって押し上げられる調光コード１８の移動を規制する。
【００４３】
板バネ５０によって調光コード１８に与えられる負荷は、操作部１８ａを操作して調光コード１８を中間バー１４上昇方向に移動させるときや、中間バー１４等の自重により調光コード１８が中間バー１４下降方向に移動するときには、調光コード１８の移動を拘束しないが、遮蔽材１２の上昇により中間バー１４が押し上げられることによる調光コード１８の移動は拘束する程度に設定されている。
【００４４】
以上のように構成される第２実施形態においても、調光コード１８が弛んでストッパ２０方向へ移動しようとしたときに、板バネ５０により移動が規制されるため、中間バー１４とストッパ２０までの間で弛みが保持され、調光コード１８の弛みがストッパ２０の方へと伝達することを防ぎ、また、調光コード１８からストッパ２０に対してストッパを解除する力が伝達することを防ぐことができ、ストッパ２０の不用意な解除を防ぐことができる。
【００４５】
（第３実施形態）
図１６及び１７を用いて、本発明の第３実施形態を説明する。なお、下記以外の構成は第１実施形態と同様であるため、詳細説明を省略する。
【００４６】
この第３実施形態においては、コード戻り防止手段６０が、ヘッドボックス１０内に導入される調光コード１８をストッパ２０へと導くガイドローラ１９と、調光コード１８をストッパ２０から離れる方向に押圧するようにガイドローラ１９を付勢するバネ６２によって構成される。バネ６２の付勢力は、操作部１８ａを操作して調光コード１８を中間バー１４上昇方向に移動させるときや、中間バー１４等の自重により調光コード１８が中間バー１４下降方向に移動するときのように張力が印加されている調光コード１８に対しては、ほとんど作用しない程度のものに設定されている。
【００４７】
以上のように構成される第３実施形態においても、調光コード１８が弛んだときに、バネ６２の付勢力によりガイドローラ１９が調光コード１８をストッパ２０から離れる方向に押圧する。これにより、調光コード１８が屈曲し、調光コード１８の弛みをコード戻り防止手段６０が吸収して、調光コード１８が挟持ローラ３２を解放方向に移動させることを防止できる。
【００４８】
また、この第３実施形態において、コード戻り防止手段６０として第２ガイドローラ２３を含めることができ、ガイドローラ１９が並列して設けられる第２ガイドローラ２３に向かって、調光コード１８を押圧することによって、図１７に示すように、ガイドローラ１９と第２ガイドローラ２３とで調光コード１８を挟み付けるようにしてもよい。これによって、調光コード１８の弛みを吸収すると共に、調光コード１８の弛みが、ガイドローラ１９からストッパ２０方向へ伝わることを妨げ、また、調光コード１８からストッパ２０に対してストッパを解除する力が伝達することを妨げることができ、ストッパ２０の不用意な解除を防ぐことができる。
【００４９】
（第４実施形態）
図１８及び１９を用いて、本発明の第４実施形態を説明する。なお、下記以外の構成は第１実施形態と同様であるため、詳細説明を省略する。
【００５０】
第３実施形態では、コード戻り防止手段６０のバネ６２の付勢方向が、ヘッドボックス１０の長手方向に平行を向いていたのに対して、第４実施形態は、バネ６２の方向を変えて、その付勢方向がヘッドボックス１０の上下方向を向くようにしたものである。また、コード戻り防止手段６０は、ガイドローラ１９の上方に設けた板バネ６４（弾性部材）をさらに備える。
【００５１】
このコード戻り防止手段６０においても、調光コード１８の弛みが、ガイドローラ１９と板バネ６４との間隔より小さい場合は、バネ６２の押圧力によるガイドローラ１９の上方への移動により弛みを吸収し、調光コード１８の弛みが、ガイドローラ１９と板バネ６４との間隔よりも大きくなった場合は、ガイドローラ１９が板バネ６４に当接し、これらの間で調光コード１８を挟み付けて、調光コード１８の弛みが、ガイドローラ１９からストッパ２０方向へ伝わることを妨げ、また、調光コード１８からストッパ２０に対してストッパを解除する力が伝達することを妨げることができ、ストッパ２０の不用意な解除を防ぐことができる。
【符号の説明】
【００５２】
１０  ヘッドボックス
１２  遮蔽材
１４  中間バー（上端）
１６  ボトムレール（下端）
１８  調光コード（第２昇降コード）
１８ａ  操作部
１９  ガイドローラ
２０  ストッパ
２２  昇降コード（第１昇降コード）
２３  第２ガイドローラ
４０、６０  コード戻り防止手段
４６  バネ
５０  板バネ（摩擦体、コード戻り防止手段）
６２  バネ
６４  板バネ（弾性部材）
【図１】
2010242302.tif 000003
【図２】
2010242302.tif 000004
【図３】
2010242302.tif 000005
【図４】
2010242302.tif 000006
【図５】
2010242302.tif 000007
【図６】
2010242302.tif 000008
【図７】
2010242302.tif 000009
【図８】
2010242302.tif 000010
【図９】
2010242302.tif 000011
【図１０】
2010242302.tif 000012
【図１１】
2010242302.tif 000013
【図１２】
2010242302.tif 000014
【図１３】
2010242302.tif 000015
【図１４】
2010242302.tif 000016
【図１５】
2010242302.tif 000017
【図１６】
2010242302.tif 000018
【図１７】
2010242302.tif 000019
【図１８】
2010242302.tif 000020
【図１９】
2010242302.tif 000021
【図２０】
2010242302.tif 000022
【図２１】
2010242302.tif 000023